(57)【要約】【課題】  低コストで且つ熟練やコツを必要とせずに紙面に窓枠部分を押し当てるだけで二次元コードを常に正確に読み取ることができるようなコード・リーダーを提供する。【解決手段】  二次元コード９の読み取りセンサー２を内蔵する筺体３が、二次元コードを読み取る際に握ることのできる形態を有する本体部分４と、二次元コード９の表示面１０に当接させられる接触部６Ａを有する二次元コード９の読み取り用の窓枠部分６と、本体部分４と窓枠部分６とを連結する蛇腹部分７とからなるとともに、接触部６Ａに、その全部が表示面１０に当接させられたときに動作して通電及び読み取りを同時に行わせるスイッチ１２が設けられている。【選択図】図１
0003133328.tif 000002
【実用新案登録請求の範囲】
【請求項１】
二次元コードの読み取りセンサーを内蔵する筺体が、二次元コードを読み取る際に握ることのできる形態を有する本体部分と、前記二次元コードの表示面に当接させられる接触部を有する前記二次元コードの読み取り用の窓枠部分と、前記本体部分と前記窓枠部分とを連結する蛇腹部分とからなるとともに、前記接触部に、その全部が前記表示面に当接させられたときに動作して通電及び読み取りを同時に行わせるスイッチが設けられていることを特徴とするコード・リーダー。
【考案の詳細な説明】
【技術分野】
【０００１】  本考案は二次元コードを読み取るためのコード・リーダーに関する。
【背景技術】
【０００２】  種々の情報へのアクセス手段として正方形の二次元コードが印刷物の紙面等にしばしば表示されている。この二次元コードを読み取るためのコード・リーダーは、二次元コードの読み取りセンサー（本明細書及び実用新案登録請求の範囲において、「読み取りセンサー」とは、二次元コードの読み取りのために作動する光照射部品、イメージセンサーその他の部品を含んだ意味である）を内蔵する筺体の端部に位置する二次元コードの読み取り用の窓枠部分を紙面等における二次元コードの表示部分に当接させるとともに、筺体に設けられたスイッチを操作することによって、読み取りセンサーを作動させ、二次元コードを読み取るようになっている。その場合、二次元コードが台形にならずに正方形の画像として歪みなく正確に読み取られるようにする即ち読み取りセンサーと二次元コードが平行な状態にあるようにするためには、前述の窓枠部分が紙面等に全体的に均等に密着しており、且つ、そのような状態のときにスイッチ操作が行われなければならない。
【考案の開示】
【考案が解決しようとする課題】
【０００３】  しかしながら、従来のコード・リーダーにおいては、窓枠部分と筺体とが硬質の素材で一体化されているために窓枠部分が全体的に紙面等に密着している状態を感得しにくく、そのため、窓枠部分の一部が紙面等に接触していない状態で即ち読み取りセンサーと二次元コードとが平行でない状態のままでスイッチ操作を行ってしまい、その結果、二次元コードが台形のような歪んだ画像として読み取られて、読み取りセンサーから誤った信号が出力されるという事態が起きやすい。その場合、歪んで読み取られた画像を電子的な処理によって修正することが行われるが、この方法はコスト高になるという問題があった。従って、二次元コードを常に正確に読み取ってそのような電子的修正処理を避けるには、紙面等への窓枠部分の当て方及びスイッチ操作のタイミングに十分注意を払うこと即ち熟練やコツが必要であった。また、従来のコード・リーダーにおいては、その通電のためにメインスイッチを操作し、次いで、読み取りのために別のスイッチを操作するという二挙動の動作が必要であるという煩雑さがあった。【０００４】  本考案は、前述の問題を解決するためになされたもので、低コストで且つ熟練やコツを必要とせずに紙面に窓枠部分を押し当てるだけで二次元コードを常に正確に読み取ることができるようなコード・リーダーを提供することを目的とする。
【課題を解決するための手段】
【０００５】  前記の目的を達成するために、本考案に係るコード・リーダーは、二次元コードの読み取りセンサーを内蔵する筺体が、二次元コードを読み取る際に握ることのできる形態を有する本体部分と、前記二次元コードの表示面に当接させられる接触部を有する前記二次元コードの読み取り用の窓枠部分と、前記本体部分と前記窓枠部分とを連結する蛇腹部分とからなるとともに、前記接触部に、その全部が前記表示面に当接させられたときに動作して通電及び読み取りを同時に行わせるスイッチが設けられていることを特徴とするものである。
【考案の効果】
【０００６】  本考案によれば、前記の特徴を有する構成によって、低コストで且つ簡便な操作で二次元コードを常に正確に読み取ることができるコード・リーダーを提供することができる。
【考案を実施するための最良の形態】
【０００７】  以下、図面を参照しながら、本考案を実施するための最良の形態について説明する。図１は本考案のコード・リーダーの側面図、図２は前記コード・リーダーの窓枠部分の拡大底面図、図３は前記コード・リーダーの使用時における窓枠部分の拡大側面図である。なお、これらの図はいずれも概念的に示したものである。【０００８】  図１及び図２に示すように、本考案のコード・リーダー１においては、二次元コードの読み取りセンサー２を内蔵する筺体３が、本体部分４と、窓枠部分６と、蛇腹部分７とからなっている。本体部分４は二次元コードを読み取る際に手で握ることができるような形態を有している。二次元コードの読み取り用の窓枠部分６は、例えば図１に示すように二次元コード９の表示面としての印刷物の紙面１０（二次元コード９は、図をわかりやすくするため、太線で紙面１０より下方にはみ出させて描いてあるが、実際は紙面１０と同一面にある）に当接させられる接触部６Ａを有している。この実施の形態においては、接触部６Ａは図から理解されるように、平面になっている。蛇腹部分７は本体部分４と窓枠部分６とを連結しており、蛇腹部分７の伸縮によって本体部分４に対して窓枠部分６が前後左右に紙面１０に対して高さ方向で自在に変位できるようになっている。符号１１は、読み取りセンサー２とコンピュータ等との接続用のケーブルを示す。【０００９】  更に、コード・リーダー１においては、図２に示すように、接触部６Ａの四隅に通電及び読み取りセンサー２の作動をさせるための感圧スイッチ１２が設けられている。この感圧スイッチ１２の個数は図示のように４個に限定されるものではない。感圧スイッチ１２は、その圧力感知用の可動部１２Ａが接触部６Ａから紙面１０側に向けて突出しており、接触部６Ａの全部が紙面１０に当接させられたときに可動部１２Ａの全てが接触部６Ａの内部側に押し込まれて通電のためのスイッチ動作及び読み取りのためのスイッチ動作が同時に行われるようになっている。なお、図示は省略するが、本体部分４にその内部の余剰空間に通じる開口を設け、前記開口から鉛筆等の筆記具を前記余剰空間内に差し込めるようにしておくと、コード・リーダー２の使用時に紙面１０に適宜書き込みをしたりする際に至って便利である。【００１０】  コード・リーダー１はこのように構成されているので、紙面１０に対して窓枠部分６の接触部６Ａを対向させる角度を予め注意深く確認しなくても、接触部６Ａは、紙面１０に押し当てるだけで蛇腹部分７の伸縮によって本体部分４に対して自在に変位し且つ蛇腹部分７の反発作用によって確実に紙面１０に均等に押し当てられて密着するから、読み取りセンサー２と二次元コード９とが平行に対向した状態になる。これと同時に、図３に示すように、接触部６Ａがそのようにして紙面１０に押し当てられたときに４つの感圧スイッチ１２の可動部１２Ａが接触部６Ａの内部側に押し込まれて前述のような二つの所定のスイッチ動作が自動的に同時に行われるので、従来のようなスイッチ操作が不要となる。このようにして、コード・リーダー１によれば、二次元コード９が歪むことなく読み取られ、正確な情報処理を行うことが可能となる。
【図面の簡単な説明】
【００１１】
【図１】  本考案の実施の形態に係るコード・リーダーの側面図
【図２】  前記コード・リーダーの窓枠部分の拡大底面図
【図３】  前記コード・リーダーの使用時における窓枠部分の拡大側面図
【符号の説明】
【００１２】  １    コード・リーダー
２    読み取りセンサー
３    筺体
４    本体部分
６    窓枠部分
６Ａ    接触部
７    蛇腹部分
９    二次元コード
１０    紙面
１２    スイッチ
【図１】
0003133328.tif 000003
【図２】
0003133328.tif 000004
【図３】
0003133328.tif 000005